(57)【特許請求の範囲】
【請求項１】
四辺のコーナーに接合部を有する四角環状に形成されたガスケットが内側の外周縁部に取り付けられ、冷蔵庫本体の開口を開閉可能にする長方形状の冷蔵庫の扉であって、
前記外周縁部のコーナー部は、前記コーナー部に向けて徐々に高さが高くなる傾斜部を有することを特徴とする冷蔵庫の扉。
【請求項２】
前記ガスケットの接合部と前記傾斜部が当接することを特徴とする請求項１記載の冷蔵庫の扉。
【請求項３】
前記ガスケットの接合部と前記傾斜部の最高点が当接することを特徴とする請求項１記載の冷蔵庫の扉。
【請求項４】
前記ガスケットは、冷蔵庫本体の開口周縁に当接する冷蔵庫本体当接部と、扉側内板のガスケット当接部と当接する扉側内板当接部と、前記扉側内板のガスケット取付け溝に挿入される矢印状の係止部とを備えたことを特徴とする請求項１乃至３のいずれかに記載の冷蔵庫の扉。
【請求項５】
前記ガスケットの取り付け部は、前記係止部の両側に設けられた返し部が嵌めあわされるガスッケット取り付け溝と、前記扉側内板当接部と当接するガスケット当接部とからなることを特徴とする請求項１乃至４のいずれかに記載の冷蔵庫の扉。
【請求項６】
方形状の開口を有する冷蔵庫本体に請求項１または２記載の冷蔵庫の扉を備えた冷蔵庫。
【発明の詳細な説明】
【技術分野】
【０００１】
この発明は、高い密閉性を有する冷蔵庫と冷蔵庫の扉に関する。
【背景技術】
【０００２】
冷蔵庫の貯蔵室の開口部を開閉する扉には、裏面周縁に沿ってガスケットが取り付けられて、扉と貯蔵室との間の密閉性を保持している。
従来、熱可塑性樹脂からなる所要長さの紐状のガスケットの端部を斜めに切断し、切断面を熱溶着することにより接合して四角環状を形成したものを、扉の裏面に取り付けていた。
【０００３】
しかし、この接合したガスケットのコーナー部は熱溶着により接合されているため、この接合部に凹凸状のバリや段差が生じやすく、密閉性能を低下させる一因となっていた。また、この接合したガスケットのコーナー部の接合部は非接合部と比べて弾性に劣るため、扉の開閉を繰り返すことにより接合部が潰れた状態に圧縮変形し、接合部の近傍周辺が冷蔵庫本体に密着しなくなり、密着性能が低下して信頼性が損なうという問題もあった。この問題を解決する手段として、冷蔵庫の扉内側コーナー部に突部を備えることで、接合部の潰れによる高さの縮小を防止していた（特許文献１）。
【先行技術文献】
【特許文献】
【０００４】
【特許文献１】特開２００９−７９８２９号公報
【発明の概要】
【発明が解決しようとする課題】
【０００５】
しかし、冷蔵庫の扉の内側コーナー部に設けられた突部は、弾性が弱いガスケットの接続部と、弾性が強い非接合部部分とで高さが変わらないため、扉の開閉により、ガスケットの接合部分の圧縮変形が進むにつれ、扉と冷蔵庫本体の間に隙間が生じ、冷気の流出を起こす可能性があった。
【０００６】
この発明は、上記課題を解決するためになされたものであり、コーナー部に接合部を有するガスケットを用いた場合でも、長期にわたって高い密閉性能を得ることのできる冷蔵庫の扉、及びこの扉を備えた冷蔵庫を提供することを目的としたものである。
【課題を解決するための手段】
【０００７】
本発明に係る冷蔵庫の扉は、四辺のコーナーに接合部を有する四角環状に形成されたガスケットが内側の外周縁部に取り付けられ、冷蔵庫本体の開口を開閉可能にする長方形状の冷蔵庫の扉であって、前記外周縁部のコーナー部近傍は、前記コーナー部に向けて徐々に高さが高くなる傾斜部を有することを特徴とする。
【発明の効果】
【０００８】
この発明にかかる冷蔵庫は、圧縮変形が進みやすい扉内側のコーナー部の高さをコーナー部以外の部分より高くすることで、ガスケットのコーナー部に扉の開閉による圧縮変形が生じても、扉を閉めた状態において傾斜による厚み部が接合部の近傍を冷蔵庫本体側に押し付け、長期にわたって高い密閉性能を維持することができるので、信頼性の高い扉を得ることができる。
【図面の簡単な説明】
【０００９】
【図１】本発明の実施の形態１における冷蔵庫の斜視図。
【図２】本発明の実施の形態１における冷蔵庫の扉の斜視図。
【図３】本発明の実施の形態１における冷蔵庫の扉の分解斜視図。
【図４】本発明の実施の形態１における冷蔵庫の扉に備え付けられたガスケットの正面図。
【図５】図４のＤ−Ｄ断面図。
【図６】図３のＡ部分の斜視図。
【図７】本発明の実施の形態１における冷蔵庫の扉のコーナー部図及びそのＢ−Ｂ断面図、Ｃ−Ｃ断面図。
【図８】本発明の実施の形態１における冷蔵庫にガスケットを取り付けた扉側内板の断面図
【発明を実施するための形態】
【００１０】
実施の形態１
本発明の実施の形態１について図面を参照して説明する。図１は本発明の実施の形態１における冷蔵庫の斜視図である。
図１に示すように、冷蔵庫本体１には、例えば隔壁で区画され一番上に配置されている冷蔵室２、この冷蔵室２の下に配置されている野菜室３、この野菜室３の下に配置されている冷凍室４、等から構成されており、これらの前面開口部には、例えば冷蔵庫本体１にヒンジ連結されて冷蔵室２を開閉可能にする扉５や、野菜室３を開閉可能にする引き出し扉６や、冷凍室４を開閉可能にする引き出し扉７などが設けられている。これらの扉により冷蔵室２、野菜室３、冷凍室４内の密閉性能を保っている。
【００１１】
図２は、本発明の実施の形態１における冷蔵庫の扉の斜視図であり、図３は、本発明の実施の形態１における冷蔵庫の扉の分解斜視図である。
図２、図３に示すように、扉５は、扉側内板９と、前面パネル１０と、上側キャップ１１と、下側キャップ１２と、から構成されている。
この扉側内板９は、棚８などが設けられた長方形状に形成された樹脂等で構成されている。
前面パネル１０は、塗装鋼板やステンレス鋼板等の金属板からなり、両側が冷蔵庫本体１側(以下、内側という)に折り曲げられた断面ほぼコ字状で扉側内板９を覆う構造となっている。
上側キャップ１１及び下側キャップ１２は、例えばポリプロピレン、ＡＢＳ等の合成樹脂(以下、樹脂製という)からなり、扉側内板９と前面パネル１０の上下に取り付けられている。これらの上側キャップ１１及び下側キャップ１２により、扉側内板９と前面パネル１０の間に注入される断熱材の漏れを防ぎ、かつ扉５の開閉の際、取手の役割を果たしている。
【００１２】
また、扉側内板９の外周縁には、ガスケット１３を取り付けるためのガスケット取付け部１４が設けられている。このガスケット取付け部１４は、後述するガスケット１３の係止部１７が備え付けられるガスケット取付け溝１４ａと、後述するガスケット１３の扉側内板当接部１６と当接するガスケット当接部１４ｂとから構成されている。このガスケット１３は、例えば、塩化ビニルにより形成され、ガスケット１３内には後述するプラスチックマグネット２２を備えることで、扉５が冷蔵庫１本体の開口周縁部と接近した際、プラスチックマグネット２２の磁力により密着することで冷蔵庫本体１内部の密閉性を保っている。
【００１３】
図４は、本発明の実施の形態１における冷蔵庫の扉に備え付けられたガスケットの正面図であり、図５は図４のＤ−Ｄ断面図である。
図４に示すように、ガスケット１３は熱可塑性樹脂からなる紐状のガスケット１３を所定の長さに切断して端部を斜めに切断し、切断面を熱溶着により接合してガスケット取付け部１４に装着可能な四角環状に形成している。
【００１４】
図５に示すように、ガスケット１３は、冷蔵庫本体１の開口周縁に当接する冷蔵庫本体当接部１５と、扉側内板９のガスケット当接部１４ｂと当接する扉側内板当接部１６と、扉側内板９のガスケット取付け溝１４ａに挿入される矢印状の係止部１７とを備えている。
【００１５】
冷蔵庫本体当接部１５近傍に有する小部屋１８ｃ内にはプラスチックマグネット２２が備えられ、冷蔵庫本体１と扉５が密着することで冷蔵庫本体１内部の密閉性を保っている。扉側内板当接部１６は扉側内板９のガスケット当接部１４ｂ上を覆うように設けられる。なお、扉側内板当接部１６は後述する扉側内板９上に設けられた傾斜部２１を覆うことができるように扉側内板９との間に若干のスペースを設ける必要がある。
係止部１７の両側には返し部１７ａを有しており、この返し部１７ａにより、ガスケット取付け溝１４ａと固定され、ガスケット取付け溝１４ａからはずれにくい構造となっている。
【００１６】
さらに、冷蔵庫本体当接部１５と扉側内板当接部１６との間にはガスケット１３に弾性力を付与するための複数の中空部からなる小部屋１８ａ〜１８ｅが設けられている。この構成により、扉５の開閉時の冷蔵庫本体１への衝撃を弱めることが出来るため、静かに開閉することが可能となる。
【００１７】
つづいて、図３のＡで囲った部分に着目して説明する。
図６は図３のＡ部分の斜視図であり、図７は本発明の実施の形態１における冷蔵庫の扉のコーナー部図及びそのＢ−Ｂ断面図、Ｃ−Ｃ断面図であり、図８は本発明の実施の形態１における冷蔵庫にガスケットを取り付けた扉側内板の断面図である。
【００１８】
図７に示すように、扉側内板９の内側周縁部近傍を沿うようにガスケット取付け溝１４ａが構成されている。また、このガスケット取付け溝１４ａの外側周縁にはガスケット当接部１４ｂが構成されている。ガスケット当接部１４ｂの四隅部分である扉側内板コーナー部１９近傍は、非コーナー部分に比べて厚みをもたせた構造をとっている。
【００１９】
具体的には、図７のＢ−Ｂ断面図に示すように、傾斜開始部２０から傾斜が始まり扉側内板コーナー部１９に向かって徐々に高さが高くなっていく傾斜部２１を備えている。また、同様にＣ−Ｃ断面図に示すように、斜開始部２０から傾斜が始まり扉側内板コーナー部１９に向かって徐々に高さが高くなっていく傾斜部２１を備えている。このようにガスケット当接部１４ｂの四隅部分は両側から扉側内板コーナー部１９に向けて徐々に高さが高くなっている構成をしている。
このように徐々に傾斜をつけてコーナー部に厚みを持たせた扉側内板９にガスケット１３を装着する、扉側内板コーナー部１９上に配置されるガスケット１３の接合部１３ａ近傍を、冷蔵庫本体１に強く押し付けることができる。このため、長期間の使用によりガスケット１３の接合部１３ａ近傍が圧縮変形したとしても、プラスチックマグネット２２が冷蔵庫本体１に強く押しあたり、密着するため冷気の漏洩を確実に防止することができる。
さらに、ガスケット１３の接合部１３ａと傾斜部２１の最高点が当接することで、接合部１３ａが多少圧縮変形したとしてもプラスチックマグネット２２が冷蔵庫本体１に強く押しあたり、密着するため冷気の漏洩を確実に防止することができる。なお、扉５を閉めた際にガスケット１３の接合部１３ａと傾斜部２１が当接していればよく、扉５が閉まる前においてはガスケット１３の接合部１３ａと傾斜部２１が当接していなくてもよい。
【００２０】
なお、傾斜部２１の厚みＨは扉開閉時のガスケット１３のしずみ高さで、長さＬはその高さに合わせ傾斜が急になり隙ができないようにした長さにする必要がある。例えば、長さＬが２０〜５０mm、高さＨが０．５〜１．５mmでる。
また、上記したのは扉５の扉側内板９に傾斜部２１を設けてその上からガスケット１３を取り付けた構造であるが、冷蔵庫本体当接部１５と当接する冷蔵庫本体１側の内板に傾斜部２１を設けてその上からガスケット１３を取り付けた構造でも同様の効果を有する。
【符号の説明】
【００２１】
１  冷蔵庫本体
２  冷蔵室
３  野菜室
４  冷凍室
５  扉
６  引き出し扉
７  引き出し扉
８    棚
９    扉側内板
１０  前面パネル
１１  上側キャップ
１２  下側キャップ
１３  ガスケット
１３ａ  接合部
１４  ガスケット取付け部
１４ａ  ガスケット取付け溝
１４ｂ  ガスケット当接部
１５  冷蔵庫本体当接部
１６  扉側内板当接部
１７  係止部
１７ａ  返し部
１８ａ  小部屋 
１８ｂ  小部屋
１８ｃ  小部屋
１８ｄ  小部屋
１８ｅ  小部屋
１９  扉側内板コーナー部
２０  傾斜開始部
２１  傾斜部
２２  プラスチックマグネット
【図１】
0005817618.tif 000002
【図２】
0005817618.tif 000003
【図３】
0005817618.tif 000004
【図４】
0005817618.tif 000005
【図５】
0005817618.tif 000006
【図６】
0005817618.tif 000007
【図７】
0005817618.tif 000008
【図８】
0005817618.tif 000009